(57)【要約】【課題】【解決手段】光通信ネットワーク１００用のネットワークノード構造１０５ｉは、複数のスロット２０５を有するハウジング２００と、該スロット内に挿入された複数のカード２１０ないし２４５とを備えている。複数のカード２１０、２１５は、ネットワークの光ライン１１０１、１１０２から入力ＷＤＭ光信号を受信する光入力部３１０を有する少なくとも１つの第一のカードと、入力ＷＤＭ光信号からある波長の少なくとも１つの成分光信号を抽出する第一の光デバイス３１５と、少なくとも１つの成分光信号を利用可能にする少なくとも１つの光出力部３２０１ないし３２０９と、を有している。複数の互換可能な電子−光構成要素５００の１つを機械的に且つ電気的に受容し得るようにされた少なくとも１つの差込み口４０５ないし４２０を有する、第一のカードと別個の少なくとも１つの第二のカード２２０、２２５が提供される。電子ー光構成要素の各々は、光入力部５０５と、光−電気変換装置５２５と、電気出力部５１５と、電気入力部５２０と、電気−光変換装置と、光出力部５１０と有している。
2007515815.tif 000002
【特許請求の範囲】
【請求項１】
光通信ネットワーク（１００）用のネットワークノード構造（１０５ｉ）において、
複数のスロット（２０５）を有するハウジング（２００）と、
該スロット内に挿入された複数のカード（２１０ないし２４５）とを備え、前記複数のカードは、
ネットワークの光ライン（１１０１、１１０２）から入力ＷＤＭ光信号を受信する光入力部（３１０）を有する少なくとも１つの第一のカード（２１０、２１５）であって、入力ＷＤＭ光信号からある波長の少なくとも１つの成分光信号を抽出する第一の光デバイス（３１５）と、少なくとも１つの成分光信号を利用可能にする少なくとも１つの光出力部（３２０１ないし３２０９）と、を有する前記少なくとも１つの第一のカード（２１０、２１５）と、
複数の互換可能な電子−光構成要素（５００）の１つを機械的に且つ電気的に受容し得るようにされた少なくとも１つの差込み口（４０５ないし４２０）を有する、第一のカードと別個の少なくとも１つの第二のカード（２２０、２２５）であって、該構成要素の各々は、所定の作動波長の入力光信号を受信し得るようにされた光入力部（５０５）と、受信した光信号を相応する変換した電気信号に変換する光−電気変換装置（５２５）と、変換した電気信号を利用可能にする電気出力部（５１５）と、入力電気信号を受信し得るようにされた電気入力部（５２０）と、受信した電気信号を相応する所定の作動波長の光信号に変換する電気−光変換装置と、変換された光信号を利用可能にする光出力部（５１０）と、差込み口内に差し込まれ且つ、抽出した成分光信号の波長に相応する作動波長を有する、前記複数の構成要素の選んだ電子−光構成要素と、前記選んだ電子光構成要素により提供された変換した電気信号を処理するため、前記少なくとも１つの差込み口と双方向通信関係に設けられた電子回路（４２８）と、を有する前記少なくとも１つの第二のカード（２２０、２２５）と、
第一のカードの少なくとも１つの光出力部と選んだ電子−光構成要素の光入力部との間に接続され、選んだ電子−光構成要素の光入力部に対し抽出された成分光信号を供給する少なくとも１つの第一の光導波路（４２２ｉ）とを備える、光通信ネットワーク用のネットワークノード構造。
【請求項２】
請求項１に記載のネットワークノード構造において、
前記複数のカードの１つに、各々がネットワークの光ライン（１１０１、１１０２）に対し第二の光デバイスの光出力部（３４０）にて利用可能とされた出力ＷＤＭ光信号の少なくとも１つの成分光信号を備えるそれぞれの入力光信号を受信し得るようにされた少なくとも２つの光入力部（３２５１ないし３２５９）を有する第二の光デバイス（３３０）であって、入力光信号を出力ＷＤＭ光信号に組み合わせる、前記第二の光デバイス（３３０）と、
第二の光デバイスの少なくとも２つの光入力部の一方と選んだ電子−光構成要素の光出力部との間に接続され、選んだ電子−光構成要素により作動される入力電気信号を電子−光変換することにより発生された成分光信号を第二の光デバイスに供給する、少なくとも１つの第二の光導波路（４２２ｏ）とを備える、ネットワークノード構造。
【請求項３】
請求項２に記載のネットワークノード構造において、
入力電気信号は、電気回路により処理した変換後の電気信号である、ネットワークノード構造。
【請求項４】
請求項２に記載のネットワークノード構造において、
入力電気信号は、ネットワークノードの局所的クライアントのクライアント信号に相応する、ネットワークノード構造。
【請求項５】
請求項２に記載のネットワークノード構造において、
第一の光デバイスは、入力ＷＤＭ光信号を複数の成分光信号に復多重化する（ｄｅ−ｍｕｌｔｉｐｌｅｘｉｎｇ）光デマルチプレクサ（３１５）を備え、
第一のカードの少なくとも１つの光出力部は、各々１つが複数の成分光信号の１つを利用可能にする複数の光出力部を備え、
第二の光デバイスは、成分光信号を出力ＷＤＭ光信号に多重化するマルチプレクサ（３３０）を備え、
第二の光デバイスの少なくとも２つの光入力部は、各々がそれぞれの成分光信号を受信し得るようにされた複数の光入力部を備える、ネットワークノード構造。
【請求項６】
請求項２に記載のネットワークノード構造において、
前記第二の光デバイスが第一のカードに設けられる、ネットワークノード構造。
【請求項７】
請求項２に記載のネットワークノード構造において、
前記第二の光デバイスが第一及び第二のカードと相違する第三のカードに設けられる、ネットワークノード構造。
【請求項８】
請求項２に記載のネットワークノード構造において、
ネットワークの前記光ラインは、第一のカードの光入力部に連結された第一の光ライン（１１０１）と、第二の光デバイスの光出力部に連結された第二の光ライン（１１０２）とを有する、ネットワークノード構造。
【請求項９】
請求項１に記載のネットワークノード構造において、
前記電子回路は、変換された電気信号を再生し得るようにされた回路を備える、ネットワークノード構造。
【請求項１０】
請求項９に記載のネットワークノード構造において、
前記電子回路は、少なくとも２Ｒ信号再生、特に、３Ｒ信号再生を行い得るようにされる、ネットワークノード構造。
【請求項１１】
請求項１に記載のネットワークノード構造において、
互換可能な電子−光構成要素は、第二のカードの少なくとも１つの差込み口内に熱差込み可能／差込み口から引抜き可能である、ネットワークノード構造。
【請求項１２】
請求項１１に記載のネットワークノード構造において、
前記互換可能な電子−光構成要素は、マルチソース・アグリーメント（ＭＳＡ）に適合する電子−光トランシーバ、特に、スモールフォームファクタプラガブル（ＳＦＰ）又は１０ギガビットスモールフォームファクタプラガブル（ＸＦＰ）トランシーバである、ネットワークノード構造。
【請求項１３】
請求項１に記載のネットワークノード構造において、
前記第二のカードは、少なくとも１つの第二の差込み口と、第二の差込み口内に差し込まれ且つ、第一の差込み口内に差し込まれた選んだ電子−光構成要素から電気信号を受信し／該構成要素に電気信号を送信する前記複数の構成要素の選んだ第二の電子−光構成要素と、第二の電子−光構成要素とネットワークノードのクライアント（１１５；１０３１ないし１３０４）との間に更に設けられた光リンク（４４２ｏ、４２２ｉ）とを有する、ネットワークノード構造。
【請求項１４】
請求項１３に記載のネットワークノード構造において、
前記第二の電子−光構成要素は、成分要素の光信号の選んだ１つにおける作動光波長に相応する作動光波長を有する、ネットワークノード構造。
【請求項１５】
請求項１３に記載のネットワークノード構造において、
前記第二の電子−光構成要素は、成分光信号の作動光波長と異なる作動光波長を有する、ネットワークノード構造。
【請求項１６】
請求項１に記載のネットワークノード構造において、
少なくとも１つの第二のカードは、少なくとも１つの差込み口から受信した変換後の電気信号を電子回路に向けて配信し且つ、電子回路により処理された変換後の電気信号を少なくとも１つの差込み口に向けて配信する形態とすることのできる電子スイッチ（４２５）を更に有する、ネットワークノード構造。
【請求項１７】
請求項１６に記載のネットワークノード構造において、
前記少なくとも１つの第二のカードは、形態設定可能な電子スイッチを制御する制御装置（４３５）を更に備える、ネットワークノード構造。
【請求項１８】
請求項１７に記載のネットワークノード構造において、
第二のカードは、制御装置と差込み口との間に電気的接続部の配置を備え、
制御装置は、差込み口内の電子−光構成要素の存在を検出し且つ、多数の所定のスイッチ形態のパターンの１つに従って電子スイッチを自動的に形態設定することができる、ネットワークノード構造。
【請求項１９】
請求項１７に記載のネットワークノード構造において、
電子回路は、変換後の電気信号の特徴的なパラメータを監視し、通信パフォーマンスレベルを評価することができ、
前記特徴的なパラメータは、制御装置に送信される、ネットワークノード構造。
【請求項２０】
請求項１に記載のネットワークノード構造において、
少なくとも１つの第二のカードの電子回路は、相応する差込み口から入って来る第一のビットレートの２つ以上の変換後の電気信号を受信し、２つ以上の変換後の電気信号を多重化して第一のビットレートよりも高い第二のビットレートの集合した電気信号にして、相応する差込み口に提供されるようにし、また、二重に、第二のビットレートの電気信号を受信し且つ、その信号を復多重化して第一のビットレートの２つ以上の電気信号にすることのできるようにされた電気的に多重化／復多重化する電子的構成要素を更に有する、ネットワークノード構造。
【請求項２１】
少なくとも１つのネットワークノードを備える光通信ネットワーク（１００）において、
ネットワークノードは、請求項１ないし２０の何れか１つの項に記載の構造を有することを特徴とする、光通信ネットワーク。
【発明の詳細な説明】
【技術分野】
【０００１】
本発明は、全体として、通信ネットワーク、より具体的には、光通信ネットワークに関する。より具体的には、本発明は、光通信ネットワークのノード構造、特に、波長分割多重化光通信ネットワークのノード構造に関する。
【背景技術】
【０００２】
異なる波長すなわち異なる光信号を多重化する技術、波長分割多重化（すなわち、ＷＤＭ）は、光通信にて広く使用されている。
ＷＤＭにおいて、隣接する光通信チャネル（以下、光チャネル）と利用される光波長帯域との間の主として間隔の点にて互いに相違する粗ＷＤＭ（ＣＷＤＭ）と高密度ＷＤＭ（ＤＷＤＭ）とを識別することが可能である。典型的に、特定の中央波長が光チャネルの各々に割り当てられる。ＤＷＤＭ技術において、隣接する２つのチャネルの中央波長は、例えば、約１．６又は０．８ナノメートル（ＩＴＵ  Ｇ６９４．１グリッドにて２００ＧＨｚ又は１００ＧＨｚに相応する）だけ相違する一方、ＣＷＤＭ技術において、隣接するチャネル間の間隔（中央波長）は、２０ｎｍ（ＩＴＵ  Ｇ６９４．２グリッドに順応）である。
【０００３】
ＤＷＤＭシステムにて可能な信号の光学的増幅は、長いネットワーク距離を有することを許容する。しかし、ＣＷＤＭチャネルによりカバーされる光帯域幅（通常、１４７０ｎｍないし１６１０ｎｍの波長を渡って８つのチャネルのみが利用される）は、光学的増幅器の使用を実際上、不可能にする。その結果、リンクの長さを相対的に短くするか、又は、ＣＷＤＭチャネルを通って運ばれる信号を電気的に再生することが必要となる。しかし、長距離の通信ネットワークが必須でない用途がある。これは、例えば、その低コストのため及び温度のようなパラメータの変化に対する許容公差が大きいため、光チャネルの数が制限されるのにも拘らず、異なるチャネルを多重化し／復多重化するため低廉な光フィルタを実現することを可能にするＣＷＤＭ技術が好まれる大都市地域の場合である。
【０００４】
典型的に、光通信ネットワークは、複数のノードを有しており、ネットワークノードの各々は、通信ネットワークを通して運ばれた光信号にて幾つかの異なる作用の１つ又はより多数が実施されるシステムに相応する。これら作用の例は、信号の再生及び局所的利用のためＷＤＭチャネルを通して運ばれた光信号の１つ又はより多数に対する抽出／注入（挿入／引抜き）である。
【０００５】
ＣＭＤＭ光通信ネットワークにおいて、カスタマーの数、隣接するノード間の距離、伝送された／受信した光パワーを事前に規定する必要はない。このため、通信ネットワークは、容易に形態変更可能である。
【０００６】
しかし、電気的再生が要求されるとき、ＣＷＤＭ信号を構成する異なる光信号（ＣＷＤＭチャネルを通して運ばれる異なる波長における光信号の集合体とすることを目的とする）を事前に電気信号に変換しなければならない。光信号を電気信号に変換し且つ、光領域に再変換して戻す必要性に加えて、電気的再生の１つの重大な不利益な点は、入って来る信号のビットレート及び周期を知る必要があること、すなわち信号自体の特徴に関して入ってくる信号に行うべきオペレーションの明瞭さが欠如することである。
【０００７】
最近、ＣＷＤＭ通信システムにて採用される最も一般的な通信プロトコルに適合する、電気信号の電気的再生のための電気装置が商業化されている。実質的に、これらの電子装置は、入って来る信号のビットレート及び周期を認識し且つ、それらのオペレーションをこれらのパラメータに適応させることのできるクロックデータ再生（ＣＤＲ）回路である。注目すべきことは、商業的に利用可能な電子ＣＤＲは、光学的増幅器よりも小型で且つ低廉なことである。
【０００８】
米国特許明細書２００２／０１８６４３０  Ａ１号において、入って来るＷＤＭ光信号を復多重化し且つ、入って来るＷＤＭ光信号を複数の電気チャネル信号に変換する第一のネットワークインターフェース装置と、電気チャネル信号を再生する再生装置と、電気チャネル信号を変換し且つ多重化して出て行くＷＤＭ光信号にする第二のネットワークインターフェース装置と、電気チャネル信号の少なくとも１つを光信号に変換し且つ、ネットワークノードにて光信号を抽出する第二のインターフェース装置とを備える、ＷＤＭ通信ネットワークにて使用されるネットワークノードが開示されている。第一の又は第二のネットワークインターフェース装置は、電気チャネル信号を選択的に第二のインターフェース装置を介して変換し且つ、抽出し、又は、第二のネットワークインターフェース装置を介して変換し且つ多重化して出て行くＷＤＭ光信号にするのを容易にする電気スイッチング装置を備えている。冗長型の電気スイッチング装置は、停電保護のため、他のネットワークインターフェース装置内に組み込まれる。
【発明の開示】
【発明が解決しようとする課題】
【０００９】
当該出願人は、該明細書に開示されたネットワークノード構造は、形態設定することが難しく、このため、可変の偶発的な必要性を満足させることが難しいことを知った。
更に、当該出願人は、該明細書に開示されたネットワークノード構造は、その構成要素が故障し易いことを知った。
【００１０】
当該出願人は、ネットワークの必要性及び可能なカスタマーに依存して、ノードがネットワーク内にて作動される前及び作動された後の双方にて、顕著なコストを伴うことなく、通信ネットワークノードを容易に形態設定する可能性は、通信ネットワークにて極めて重要なことであると考える。
【００１１】
更に、当該出願人は、通信ネットワークの機能を維持しつつ、故障の原因となったその構成要素のみを置換することにより、ノードの故障を修復することが可能であることは、極めて有利なことであると考える。
【００１２】
事実上、これらの可能性は、通信ネットワークの自由度及び信頼性を著しく増大させることになろう。特に、極めて複雑なシステムとなるであろう、ネットワークノードを容易に形態変更し、従って、ノードの機能を変化させることが可能であることは、通信ネットワークを確立し且つ維持するコストが低減されるであろうから、極めて望ましいことである。
【００１３】
上記に概説した技術の状態において、上述した短所を解決することが本発明の１つの目的である。特に、自由度、形態変更の容易さ（通信ネットワーク内にインストールし且つ、容易に使用できること）、ネットワークノードの信頼性を保証する通信ネットワークノード構造を提供することが本発明の１つの目的である。
【課題を解決するための手段】
【００１４】
この目的を実現するため、本発明の１つの形態に従い、請求項１に記載したＷＤＭ光通信ネットワーク用のネットワークノード構造が提案される。
要約すれば、該ネットワークノード構造は、複数のスロットと、該スロット内に挿入された複数のカードとを有するハウジングを備えている。
【００１５】
上記複数のカードは、ネットワークの光ラインから入力ＷＤＭ光信号を受信する光入力部を有する少なくとも１つの第一のカードと、入力ＷＤＭ光信号からある波長の少なくとも１つの成分光信号を抽出する第一の光デバイスと、少なくとも１つの成分光信号を利用可能にする少なくとも１つの光出力部とを有している。
【００１６】
第一のカードと別個の少なくとも１つの第二のカードが更に提供され、該第二のカードは、複数の互換可能な電子−光構成要素の１つを機械的に且つ電気的に受容し得るようにされた少なくとも１つの差込み口を有している。
【００１７】
構成要素の各々は、所定の作動波長の入力光信号を受信し得るようにされた光入力部と、受信した光信号を相応する変換した電気信号に変換する光−電気変換装置と、変換した電気信号を利用可能にする電気出力部と、入力電気信号を受信し得るようにされた電気入力部と、受信した電気信号を相応する作動波長の光信号に変換する電気−光変換装置と、変換された光信号を利用可能にする光出力部とを有している。
【００１８】
上記複数の構成要素の選んだ電子−光構成要素は、差込み口内に差し込まれ且つ、抽出した成分光信号の波長に相応する作動波長を有している。
上記選んだ電子−光構成要素により提供された変換した電気信号を処理するため、上記少なくとも１つの差込み口と双方向通信関係にて電子回路が第二のカードに設けられる。
【００１９】
少なくとも１つの第一の光導波路は、第一のカードの少なくとも１つの光出力を選んだ電子−光構成要素の光入力部に接続し、電子−光構成要素の光入力部に対し抽出された成分光信号を供給する。
【００２０】
換言すれば、入力ＷＤＭ光信号から成分光信号を抽出する装置及び抽出された光信号を電気信号に変換し且つ、変換した信号を処理する構成要素が別個のカードにより支持されている。
【００２１】
提案されたネットワークノード構造は、多数レベルの形態設定が可能である。特に、２つのレベルの形態設定が可能である。１つのレベルの形態設定の可能性は、色々な構成要素を備えることができ、またこれにより、異なる機能を果たす形態とすることのできる第二のカードのようなカードを提供することにより保証され、別のレベルの形態設定の可能性は、例えば、第一のカードのような１つ以上のカード及び（又は）第二のカードのような１つ以上のカードの如く、必要に依存して、異なるカード及び型式のカードが利用可能であることから得られる。
【００２２】
この多数レベルの形態設定が可能であるため、ノード構造の自由度は、顕著に増大する。
本発明の１つの実施の形態において、各々がネットワークの光ラインに対し第二の光デバイスの光出力部にて利用可能とされた出力ＷＤＭ光信号の少なくとも１つの成分光信号を備えるそれぞれの入力光信号を受信し得るようにされた少なくとも２つの光入力部を有する第二の光デバイスが更に提供される。該第二の光デバイスは、入力光信号を出力ＷＤＭ光信号に組み合わせる。
【００２３】
少なくとも１つの第二の光導波路は、第二の光デバイスの少なくとも２つの光入力部の一方と選んだ電子−光構成要素の光出力部との間に接続され、選んだ電子−光構成要素により作動される入力電気信号を電子−光変換することにより発生された成分光信号を第二の光デバイスに供給する。
【００２４】
入力電気信号は、電気回路により処理した変換後の電気信号とし、又は該電気信号は、ネットワーク構成要素の局所的クライアントのクライアント信号に相応するものとすることができる。
【００２５】
本発明の１つの実施の形態において、第一の光デバイスは、入力ＷＤＭ光信号を復多重化して複数の成分光信号にする光デマルチプレクサを備え、第一のカードの少なくとも１つの光出力部は、各々１つが複数の成分光信号の１つを利用可能にする複数の光出力部を備え、第二の光デバイスは、成分光信号を出力ＷＤＭ光信号に多重化するマルチプレクサを備え、第二の光デバイスの少なくとも２つの光入力部は、各々１つがそれぞれの成分光信号を受信し得るようにされた複数の光入力部を備えている。
【００２６】
本発明の１つの実施の形態において、第二の光デバイスが第一のカードに設けられる。
１つの代替的な実施の形態において、第二の光デバイスが第一及び第二のカードと相違する第三のカードに設けられる。
【００２７】
ネットワークの光ラインは、第一のカードの光入力部に連結された第一の光ラインと、第二の光デバイスの光出力部に連結された第二の光ラインとを有することができる。
本発明の１つの好ましい実施の形態において、電子回路は、変換された電気信号を再生し得るようにされた回路を備えている。特に、電子回路は、少なくとも２Ｒ信号再生、好ましくは、３Ｒ信号再生を行い得るようにされている。
【００２８】
好ましくは、互換可能な電子−光構成要素は、第二のカードの少なくとも１つの差込み口内に熱差込み可能／差込み口から引抜き可能であるようにする。望ましくは、互換可能な電子−光構成要素は、マルチソース・アグリーメント（ＭＳＡ）に適合する電子−光トランシーバ、特に、スモールフォームファクタプラガブル（ＳＦＰ）又は１０ギガビットスモールフォームファクタプラガブル（ＸＦＰ）トランシーバであるものとする。
【００２９】
好ましくは、第二のカードは、少なくとも１つの第二の差込み口と、第二の差込み口内に差し込まれ且つ、第一の差込み口内に差し込まれた選んだ電子−光構成要素から電気信号を受信し／該構成要素に電気信号を送信する上記複数の構成要素の選んだ第二の電子−光構成要素と、第二の電子−光構成要素とネットワークノードのクライアントとの間に更に設けられた光リンクとを有するものとする。
【００３０】
第二の電子−光構成要素は、成分要素の光信号の選んだ１つにおける作動光波長に相応する作動光波長を有するか、又は成分光信号の作動光波長と異なる作動光波長を有するようにすることができる。
【００３１】
該少なくとも１つの第二のカードは、少なくとも１つの差込み口から受信した変換後の電気信号を電子回路に向けて配信し且つ、電子回路により処理された変換後の電気信号を少なくとも１つの差込み口に向けて配信するよう形態設定可能な電子スイッチを更に有することができる。
【００３２】
形態設定可能な電子スイッチを制御する制御装置を第二のカード内に設けることができる。
好ましくは、第二のカードは、制御装置と差込み口との間に電気的接続部の配置を備えることができ、また、制御装置は、差込み口内の電子−光構成要素の存在を検出し且つ、多数の所定のスイッチ形態のパターンの１つに従って電子スイッチを自動的に形態設定することができる。
【００３３】
電子回路は、変換後の電気信号の特徴的なパラメータを監視し、通信パフォーマンスレベルを評価し得ることが好ましい。特徴的なパラメータは、制御装置に送信することができる。
【００３４】
少なくとも１つの第二のカードの電子回路は、相応する差込み口から入って来る第一のビットレートの２つ以上の変換後の電気信号を受信し、２つ以上の変換後の電気信号を多重化して第一のビットレートよりも高い第二のビットレートの集合した電気信号にして、相応する差込み口に提供されるようにし、また、二重に、第二のビットレートの電気信号を受信し且つ、その信号を復多重化して第一のビットレートの２つ以上の電気信号にすることができるようにされた電気的に多重化／復多重化する電子的構成要素を更に有している。
【００３５】
本発明の別の形態に従い、少なくとも１つのネットワークノードを備え、ネットワークノードは、本発明の第一の形態に従った構造を有する、特に、ＷＤＭ光通信用の光通信ネットワークが提供される。
【００３６】
本発明の更なる特徴及び有利な効果は、添付図面を参照しつつ、純然たる非限定的な一例として記載した、その１つの実施の形態に関する以下の説明から明らかになるであろう。
【発明を実施するための最良の形態】
【００３７】
図１を参照すると、光通信ネットワーク１００が概略図的に示されている。特に、また、単に非限定的な例として、光通信ネットワーク１００は、２ファイバ（すなわち、２Ｆ）リングトポロジー技術を有している。
【００３８】
光通信ネットワーク１００は、ＷＤＭ光通信、より具体的には、ＣＷＤＭ通信を支援することを目的としている。典型的に、ＣＷＤＭ通信システムは、各ＣＷＤＭチャネルが例えば、６２２Ｍｂ／ｓに等しく又はそれ以上のビットレートの特定のビットレートにて通信を支援する８つのＣＷＤＭチャネルを利用する。８つのＣＷＤＭチャネルの各々１つは、特定の波長（チャネルの中央波長）λｊとｊ＝１、・・・、８にて関係付けられる。特に、ＣＷＤＭチャネルと関係付けられた波長は、ＩＴＵ−Ｔグリッド（Ｇ．６９４．２）に順応するものとすることができる。
【００３９】
好ましくは、８つのＣＷＤＭチャネルによりカバーされる帯域外に位置する特定の中央波長λ９と関係付けられたサービス光信号（以下、ＯＳＣ信号と称する）に対する光サービスチャネル（すなわち、ＯＳＣ）も提供されるものとする。説明の容易化のため、以下の説明において、ＣＷＤＭ信号は、８つのＣＷＤＭチャネルを通して運ばれた光信号プラスＯＳＧ信号を加えたものにて構成されることを目的とする。
【００４０】
ネットワーク１００は、図示した例において、４つのフード１０５１、１０５２、１０５３、１０５４を有している。２つの光ファイバケーブル（１１０１１、１１０２１）、（１１０１２、１１０２２）、（１１０１３、１１０２３）、（１１０１４、１１０２４）は、ネットワーク内にて連続的なノードを接続し、ネットワーク１００の２つの通信路（ライン）１１０１、１１０２を形成する。ライン１１０１、１１０２の各々は、ＣＷＤＭ信号を運び、データトラフィックは、ライン１１０１に沿って時計回り方向に移動し且つ、ライン１１０２に沿って反時計回り方向に移動する。
【００４１】
ＣＷＤＭ信号は、ノード１０５１、１０５２、１０５３、１０５４の任意の２つの間を、時計回り方向に移動し且つ、例えばノード１０５１、１０５２の間を反時計回り方向に移動し、２つのノード間の通常のすなわち作動通信路は、ライン１１０１に沿ってノード１０５１からノード１０５２まで（時計回り方向）に移動し且つ、１１０２に沿ってノード１０５２からノード１０５１まで（反時計回り方向）に移動する信号によりカバーされる通信路として規定される。作動通信路を通って移動する信号を作動信号と称する。この型式のネットワークトポロジーは、一般に双方向に画成され、ネットワークノード１０５１、１０５２、１０５３、１０５４の各々は、以下に西ラインインターフェース及び東ラインインターフェースとも称する２つの双方向ラインインターフェースを有する。
【００４２】
ノード１０５１、１０５２、１０５３、１０５４の各々において、ＣＷＤＭチャネルを通して運ばれた信号に対し複数のオペレーションの１つ以上を行うことができる。特に、信号に行われるオペレーションは、信号の再生、特に、２Ｒ又は３Ｒ、ＣＷＤＭ信号を構成する異なる信号の１つ以上に対する挿入／引抜きオペレーション（及び多分、ＣＷＤＭチャネルを通して運ばれた信号のビットレートと等しい低ビットレートの２つ以上の信号に対する多重化／復多重化）、通信パフォーマンスの監視を含む。
【００４３】
より具体的には、ＣＷＤＭ信号を構成する信号の１つの３Ｒ再生のオペレーションは、異なる成分光信号を分離するためＣＷＤＭ信号を復多重化するステップと、再生すべく選んだ成分光信号を電気信号に変換するステップと、電子回路により形成される電気信号をサイズ変更し、再整形し及びタイミング変更するステップと、再生後の電気信号を所定の波長帯域にて光信号に再変換するステップと、再生後の光信号をその他の成分光信号と多重化し、その後に、得られたＣＷＤＭ信号をライン１１０１、１１０２のトラフィック内に再注入するステップとを含む。選択的に、電気信号のタイミング変更は為されないため、３Ｒ再生と相違するより簡単な２Ｒ再生のオペレーションを実現することができる。
【００４４】
ＣＷＤＭ成分信号の挿入／引抜きオペレーションは、ノードにて局所的に使用するため、ＣＷＤＭチャネルを通して運ばれた１つ以上の信号のライントラフィックから抽出する（引抜く）ステップと、該ライントラフィック内に注入（挿入）するステップとを含む。より詳細には、これらのオペレーションは、ＣＷＤＭ信号を復多重化し、異なる成分光信号を分離するステップと、局所的に使用するため所望の成分信号を抽出するステップと、その他のＣＷＤＭ成分信号を局所的に供給された光信号と多重化するステップと、ＣＷＤＭ信号をトラフィック内に再注入するステップとを含む。
【００４５】
低ビットレートの２つ以上の信号を多重化するオペレーションは、ＣＷＤＭチャネルを通して運ぶことを目的としてこれらの信号を電子回路により高ビットレートの信号に集合化することから成っている。低ビットレート信号が光信号である場合、それらを事前に相応する電気信号に変換する必要がある。このようにして得られる集合化した電気信号は、その後に、光信号に変換し、次に、その光信号はライン１１０１、１１０２のトラフィック内に注入する（挿入オペレーションにより）。復多重化オペレーションは、２つ以上の低ビットレート信号を抽出するため、高ビットレートの光信号、特に、ＣＷＤＭ成分の信号の１つにて行われる、反対のオペレーションである。
【００４６】
１つの信号に対するパフォーマンスの監視は、信号の存在／不存在の検出、信号の完全さの検出、ビットエラー率（現場用語にてＢＥＲ）の推定及び同様のことのような、通信システムのパフォーマンスを評価するのに適した量を明らかにすることを許容するオペレーションである。
【００４７】
図示した例におけるノード１０５１、１０５４のようなネットワークの一般的なノード１０５１、１０５２、１０５３、１０５４は、３Ｒ再生及び信号のパフォーマンスの評価のみを行う形態とすることができる。この場合、ノードは通過ノードと称する。これと代替的に、ネットワークノードは、ノード１０５２、１０５３の場合のように、光通信ネットワーク１００のクライアントすなわちユーザに接続してもよい。ノードは、この場合、クライアントと相互接触するため少なくとも１つのクライアントインターフェースを有する必要がある。
【００４８】
特に、図示した例において、ノード１０５２は、２つのサブネットワークノード１２０１、１２０２を含む、ネットワーク１００のものと同様のリングトポロジーを有する光通信サブネットワーク１１５に接続されるものと想定する。サブネットワーク１１５は、ＣＷＤＭチャネルの１つ以上を利用し、相応する光信号は、ネットワークノード１０５２によりライン１１０１、１１０２のトラフィックから引き抜かれる（該トラフィックに挿入される）。
【００４９】
その代わり、ノード１０５３は、４つのクライアント１３０１、１３０２、１３０３、１３０４に接続され、相応するクライアントインターフェースを有するものと想定する。ノード１０５３は、ＣＷＤＭ信号に対し挿入／引抜きオペレーションを行い、これによりクライアント１３０１、１３０２、１３０３、１３０４の各々は、例えば、該クライアントと関係した相応するＣＷＤＭチャネルを有する。挿入／引抜きオペレーションは、ラインツークライアントオペレーションの１つの型式である。これと代替的に、別のラインツークライアントオペレーションの一例として、クライアント１３０１、１３０２、１３０３、１３０４がＣＷＤＭチャネルの通信ビットレートと比較して低いビットレートにて通信するならば、ＣＷＤＭチャネルを通して運ばれたより高ビットレート信号を復多重化することが可能である。例えば、ＣＷＤＭチャネルを通して運ばれた信号の１つは、復多重化されて４つの低ビットレート信号を抽出し、これら信号の各々は、相応するクライアント１３０１、１３０２、１３０３、１３０４に提供される。
【００５０】
挿入／引抜きオペレーションを実行するためには、ノード１０５２、１０５３は、受信したＣＷＤＭ信号を光学的に復多重化して各々、相応するＣＷＤＭチャネルと関係付けられたそれぞれの波長λｊ（ｊ＝１、・・・、８）に中心がある複数の成分光信号にしなければならない。引き抜くため、所望の波長λｘに中心がある光信号を選ぶ必要がある。本明細書の目的のため、ＣＷＤＭ信号を形成する成分光信号、すなわちＣＷＤＭチャネルの任意の１つの中央波長に相応する波長に中心がある光信号は、有色光信号と称する。有色光信号をクライアント又はクライアント１３０１ないし１３０４又はサブネットワーク１１５に送る前に、有色光信号を電気信号に変換し、３Ｒ再生し且つ、同一の波長λｘに中心がある再生した有色光信号に再変換することができる。クライアントに提供し得るよう有色信号がＣＷＤＭ信号により抽出されるとき（ノード１０５３の場合のように）、再生後の電気信号は、再変換して異なるより便宜な波長（例えば、約８５０ｎｍ、１３１０ｎｍ、又は１５５０ｎｍに等しい波長）に中心がある再生した光信号にすることができる。本明細書の目的のため、ＣＷＤＭチャネルの中央波長と相応する波長に中心がある光信号はグレイ光信号と称する。１つの代替的な実施の形態において、再生後の電気信号は、ノード１０５３、とクライアントとの間の電気的接続部を介してクライアントに直接提供することができる。
【００５１】
オペレーション保護スキーム（簡略するため、保護スキーム）もまた、通信ネットワーク１００内に実現される。詳細には、この場合にも直接作動する通信路に加えて、２つのノード１０５１、１０５２を考慮し、冗長型通信路すなわち保護通信路が２つのノード１０５１、１０５２の間を移動するトラフィックに対して画成される。該保護通信路は、ノード１０５３、１０５４を横断する光リンク（１１０１２、１１０１３、１１０１４）及び（１１０２２、１１０２３、１１０２４）、すなわち、作動路を画成する円弧と相補的なライン１１０１、１１０２の円弧を備えている。２つのノード１０５１、１０５２の間の直接的な接続路（作動通信路）に障害がある場合、ネットワークオペレーションの連続性を保証するため、保護通信路を利用することができる。保護路に沿って移動する信号は保護信号と称する。
【００５２】
ネットワークノードの各々は、その２つのラインインターフェース（西又は東ラインインターフェース）の一方にて作動路から及びその他のラインインターフェース（東又は西）にて保護路からＣＷＤＭ信号を受信する。更に、ノードの各々は、ＣＷＤＭ信号を作動路（作動ＣＷＤＭ信号）及び保護路（保護ＣＷＤＭ信号）内に再注入する。この要領にて、各ＣＷＤＭチャネルに対し、作動信号は、作動路に沿って移動し、またこれと同時に、相応する保護信号が保護通信路に沿って移動する。
【００５３】
ＯＳＣを通して運ばれたサービス光信号は、ノードのオペレーションを監視するノード１０５１に対し局所的すなわち遠方とすることのできるネットワーク監視ユニット（すなわちネットワーク１００の全体のオペレーションを監視するユニット）により提供され又は該ネットワーク監視ユニットに提供される情報を運ぶ。局所的で且つ遠方のネットワーク監視ユニットは、ネットワークの状況を監視し、特に、保護スキームを作動させるべきときを決定する。作動通信路に障害がある場合、保護機構は保護通信路への通信に切り換える。作動路の障害が修復されたとき、復帰過程を作動させ、作動通信路に戻るよう通信を切り換えることができる。
【００５４】
保護機構は、フレキシブルであり且つ、監視ユニットは幾つかのパラメータを監視し、修復過程をクライアントの必要性に適合するようにする必要がある。これらのパラメータは、例えば、どの光リンク及びどのノード成分が作動路及び保護路を実行しているかを表示し、又は信号が必要とされる特徴に適合するとき、作動路を自動的に修復すべきか又は何れのノードの作動路を遮断すべきかを表示するパラメータを含む。
【００５５】
図１の一例としての実施の形態において、２Ｆリングトポロジーを有するネットワークが示されているが、１つのファイバ（１Ｆ）リングトポロジーを有するネットワークも可能であることが理解される。この場合、光通信ネットワークは１つの光学路のみを有する。１Ｆリングネットワークのノードは、２つの単方向ラインインターフェースを特徴としており、ＣＷＤＭチャネルの保護スキームは何も利用できない。
【００５６】
また、図１に示した一例としての実施の形態にて、双方向２Ｆリングネットワークトポロジーが示されているが、２Ｆリングトポロジーは、全体として、単方向又は双方向とすることも可能であることが分かる。単方向２Ｆリングネットワークトポロジーにおいて、ラインの各々は双方向トポロジーにおけるように、一方向トラフィックを支援するが、２つのラインの１つは冗長的で且つ、保護目的にのみ使用される。仮に図１のネットワークは双方向ではなく単方向であると想定すれば、信号は、通常、例えば、ノード１０５１からライン１１０１の円弧１１０１１を通って、また、ノード１０５２からライン１１０１（作動路）の相補的な円弧（１１０１２、１１０１３、１１０１４）を通ってノード１０５１まで移動するであろう。２つのノードを接続する作動路に障害がある場合、保護スキームが作動され、トラフィックの方向が切り換えられ、トラフィックは、その他のライン、当該例においてライン１１０２の２つの相補的な円弧１１０２１及び（１１０２２、１１０２３、１１０２４）上を移動するようにされる。
【００５７】
図１に示したリングトポロジーは、単に一例であり、全く限定的ではないことが分かる。光通信ネットワーク１００はまた、ポイントツーポイントトポロジー又はバストポロジーのような線形トポロジーを有することができる。特に、中間ノード及び端末ノードを接続する対の光ファイバケーブルにより線形トポロジーが実現される。ＣＷＤＭ信号及びＯＳＣ信号は、２つのノードの間にてそれぞれ西から東及び東から西として画成された２方向に移動する。端末ノードは、西又は東の単方向ラインインターフェースのみを特徴とする一方、中間ノードの各々は、２つ（東及び西）の双方向ラインインターフェースを特徴とする。
【００５８】
ポイントツーポイントのネットワークトポロジーにおいて、中間ネットワークノードは、信号の再生機能（また、多分、パフォーマンスの監視機能）のみを有する一方、端末ノードは、中間ノードにて存在しないラインツークライアント及びクライアントツーラインの相互接続機能を更に管理する。これと相違して、バスネットワークトポロジーにおいて、ＣＷＤＭ信号に対する挿入／引抜きオペレーションは、端末ノードと同様に、クライアントインターフェースを有することができる中間ノードによっても管理される。
【００５９】
ネットワーク１００のように、２Ｆリングトポロジーを有するネットワークは、リングを形成するよう折り重ねたバストポロジーを有し、２つの端末ノードが互いに一致するネットワークとみなすことができることを理解する価値がある。
【００６０】
線形ネットワークトポロジーは、ネットワークノード１０５ｉ（ｉ＝１、・・・、４）をそれぞれのクライアントと接続するため利用することができる。例えば、図１において、ネットワークノード１０５３から各クライアント１３０１、１３０２、１３０３、１３０４への接続は、中間のノード無しの特定型式のポイントツーポイント接続のものであり、それは、接続部は、短いと考えられ、また、信号の再生は全く不要であるからである。これと代替的に、４つのクライアント１３０１、１３０２、１３０３、１３０４は、バストポロジーを有する更なるサブネットワークによってノード１０５３に接続してもよく、バスサブネットワークのノードの各々は、１３０１、１３０２、１３０３、１３０４の１つ以上に接続される。
【００６１】
ネットワークノードの特定の構造は、偶発的必要性、すなわち、ノードが行おうとするオペレーションに強く依存することを理解することができる。例えば、ＣＷＤＭ信号の所定の成分光信号に対する３Ｒ再生を行うためには、ＣＷＤＭ信号は、成分光信号に分解（復多重化）する必要があり、所望の光信号は、通信ビットを認識するため電気信号に変換する必要がある。所定のモードに接続されたネットワークのクライアントは、ネットワーク１００上を移動するＣＷＤＭ信号から異なるＣＷＤＭチャネルの中央波長間にて任意に選んだ波長λｘに中心がある信号を抽出する必要がある。１つのノードに接続されたクライアントの数は、時間と共に変化し、例えば、クライアントの数が増すようにすることができる。
【００６２】
一般的に説明して、ネットワークノードが剛く且つ、形態変更可能でない構造を有するならば、ネットワークを偶発的必要性の変化に適応させることは、不可能とはいえないが、難しいことであろう。ネットワークのクライアント又はサブネットワークの必要性の各変化は、特に、コストの点にて重大な問題を生じるであろう。例えば、唯一の実現可能な解決策は、１つのノードを別構造の別のものと完全に置換することであろう。
【００６３】
上述した理由のため、本発明の１つの実施の形態に従い、ネットワークノードは、以下の説明にて記載するように、ノードの形態変更を容易に許容するモジュラー構造を有している。
【００６４】
図２を検討すると、本発明の１つの実施の形態に従った、光通信ネットワーク１００の包括的なノード１０５ｉの構造が、概略図的ではあるが、より詳細に示されている。ノード１０５ｉは、カード２１０ないし２４５に対する複数のハウジング（現場用語にてスロット）２０５を有するボックス形状のケーシング（現場用語にて棚）２００を備えている。
【００６５】
棚２００のスロット２０５は、その内部に挿入することのできるカード２１０ないし２４５と棚２００の電気的接続の背面配線板２５０との間に機械的及び電気的接続能力を提供する設計とすることができる。電気的接続の背面配線板２５０は、ノード１０５ｉのオペレーションを管理し且つ、制御するシステム制御ユニットを更に収容することができる。
【００６６】
カード２１０ないし２４５の各々は、より特定的な機能を有し、特に、ＣＷＤＭ信号の成分光信号の処理に適した構成要素が設けられたカード２１０ないし２３０が提供される。
【００６７】
具体的には、図面に示した本発明の一例としての実施の形態において、ノード１０５ｉは、特に、能動型光マルチプレクサ／デマルチプレクサを保持する１つ又はより多数のカード（図示した例において、２つのカード２１０、２１５、以下に、単にＭＤＭカード）を有している。ＭＤＭカード２１０、２１５の各々の１つは、ネットワークノードのラインインターフェースを形成する。本発明の１つの代替的な実施の形態において、１つのＭＤＭカードのみを提供することができ、又は、ＭＤＭカードの１つは、デマルチプレクサを保持する一方、その他のＭＤＭカードは、マルチプレクサを保持するようにしてもよいことが分かる。
【００６８】
１つ又はより多数の多目的カードを提供することができ（図示した例において、以下にＴＸＴカードと称する２つのカード２２０、２２５）、これらカードは、ラインから可能なクライアントへ及び（又は）ラインからラインへのトランスポンダとして作用可能である。
【００６９】
ネットワークノードは、低ビットレートの多数の信号に対する電気的マルチプレクサの機能を持つ１つ又はより多数のカード（図示した例において、１つのカード２３０、以下、ＭＸＴカード）を有することもできる。
【００７０】
更に、ノード１０５ｉは、１つ又はより多数のカード（図示した例において、１つのカード２３５、以下、ＳＰＶカード）を有しており、これらのカードは、局所的な監督ユニット（例えば、ネットワークノードの棚監督ユニットに接続可能なパーソナルコンピュータ）と相互作用し得るようにされ且つ、ネットワーク管理ユニットと通信可能であるようにされることが好ましい。ノード１０５ｉの情報を管理する棚監督ユニットの機能を有する１つ又はより多数のカード（図示した例において、１つのカード２４０、以下、ＡＰＳ／ＤＰＳカード）には、棚に対するＡＣ及びＤＣ電力供給の機能が更に提供される。
【００７１】
本発明の１つの実施の形態において、ネットワークノードは、実行すべきオペレーションの複雑さ及びノード１０５ｉの特定の必要性に依存し、例えば、ノードに接続されたクライアントの数に依存して、１つ以上の棚２００を有することができる。この理由のため、棚２００は、棚の共通の板、すなわち２つの棚２００を互いに接続する電気接点、バス及びコネクタを有するプリント回路板の機能を持つ１つのカード２４５（以下、ＳＣＢカードと称する）を備えることが好ましい。
【００７２】
以下の説明にて記載するように、カード２１０ないし２３５は、適宜な光学的及び（又は）電気的コネクタを介して棚２００の正面側（多分、正面側パネル）からアクセス可能であることが好ましい光学的及び（又は）電気的入力部及び出力部を有する。
【００７３】
上述したネットワークノード構造は、ネットワークノード１０５ｉの各々の必要性に適応可能であるように容易に形態設定可能であることが理解される。ノード１０５ｉの機能は、棚２００に更なるカードを追加し又は更なる棚さえも追加することにより向上させることができる。これと同時に、ノード１０５ｉの内部の故障は、損傷したカードを置換することにより容易に修復可能である。
【００７４】
図３には、本発明の１つの実施の形態におけるＭＤＭカード２１０の構造が概略図的に示されている。（ＭＤＭカード２１５は、同一構造のものと想定する）。ＭＤＭカード２１０は、ネットワークの光ファイバケーブルを接続する適宜なコネクタを備える光入力部３１０を有している。能動的光デマルチプレクサ３１５は、光入力部３１０を通して入力された、ＣＷＤＭ光信号及びＯＳＣ信号から成る複合的光信号を受信し且つ、複合的光信号を復多重化して成分信号にし得るよう配置されている。ＣＷＤＭ信号及びＯＳＣ信号から成る８つの光信号を備えるこれらの成分信号は、次に、各々光ファイバケーブルに対しそれぞれのコネクタが設けられた、複数（９つ）の光出力部３２０１ないし３２０９の相応する１つに向けて配信される。
【００７５】
更に、本発明の図示した実施の形態において、ＭＤＭカード２１０は、ＣＷＤＭチャネルに運ばれた８つの光信号及びＯＳＣ信号を受信すべく光ファイバケーブルに対する適宜なコネクタを有する光入力部３１５１ないし３２５９を有している。能動的な光マルチプレクサ３３０が、これらの９つの光信号を受信し且つ、これらの信号をＣＷＤＭ信号に多重化し得るよう配置されている。次に、ＣＷＤＭ信号は、光ファイバケーブルに対するコネクタを有する光出力部３４０に向けて配信される。
【００７６】
本明細書にて検討した一例としての実施の形態において、ＭＤＭカード２１０は、ネットワークノードの西ラインインターフェースを形成するものと想定する。このため、光入力部３１０は、ライン１１０１（例えば、ノード１０５２の場合、光ファイバ１１０１１）に接続され、光出力部３４０は、ネットワーク１００のライン１１０２（例えば、光ファイバ１１０２１）に接続される。
【００７７】
他方のＭＤＭカード２１５は、ネットワークノードの対向する東ラインインターフェースを形成する。この場合、光入力部３１０は、ライン１１０２（例えば、光ファイバ１１０２２）に接続され、光出力部３４０は、ライン１１０１（例えば、光ファイバ１１０１２）に接続される。
【００７８】
ＭＤＭカード２１０、２１５は、棚のスロット２０５と係合するのに適したコネクタ３４５を有している。該コネクタ３４５は、カードを背面配線板に機械的に接続することに加えて、ＭＤＭカード２１０、２１５と棚の電気的接続の背面配線板２５０との間の電気的接続を可能にし、例えば、ＳＰＶカードがＭＤＭカード２１０、２１５の存在を検出することを許容する電気接点を設けることができる。
【００７９】
次に、図４Ａを参照すると、本発明の１つの実施の形態に従ったＴＸＴカード基部構造４００が、図２のネットワークノードにて使用し得るようにされた状態で概略図的に示されている。実質的に、ＴＸＴカード基部構造４００は、異なる色々な電子−光及び（又は）電子構成要素を設けることができ、また、次のような幾つかの異なるオペレーションの１つ以上を実行し得るような形態とされることが好ましい、多目的カードインフラストラクチャを提供する、すなわち、信号の再生（特に、３Ｒ再生）、パフォーマンスの監視、ＣＷＤＭチャネルの信号の挿入／引抜き、２つ以上の低ビットレート信号の多重化、特に、グレイ光信号（例えば、２つの異なるクライアントから入って来るもの）を多重化して単一のＣＷＤＭチャネルに注入すべき集合化した光信号にし（それと逆に、異なるクライアントに対する低ビットレート信号を抽出するため、ＣＷＤＭ信号の成分光信号を復多重化する）オペレーションである。特に、ＴＸＴカード基部構造４００は、ネットワークのクライアントに提供すべきＣＷＤＭ信号の成分光信号の１つ以上を引き抜き得るよう（及びこれと共に、クライアントにより局所的に供給された光信号をＣＷＤＭ信号に追加し得るような要領にて）形態設定することができる。
【００８０】
ＴＸＴカード基部構造４００は、棚２００のスロット２０５と係合するのに適したコネクタ４４０を有している。該コネクタ４４０は、ＴＸＴカード基部構造４００と、電気的接続の背面配線板２５０との間の電気的接続を可能にする電気接点を有し、かかる電気的接続は、ＴＸＴカード基部構造４００及び該構造を備える構成要素（以下に説明する）に電力を供給すると共に、ＳＰＶカードと通信するのに必要である。
【００８１】
ＴＸＴカード基部構造４００は、標準型の電子−光トランシーバを受容するのに適した差込み口、図示した例において、４つの差込み口４０５、４１０、４１５、４２０を有している。差込み口４０５、４１０、４１５、４２０内に差し込むことのできるトランシーバは、例えば、スモールフォームファクタプラガブル（ＳＦＰ）トランシーバ又はＸＦＰトランシーバ（ＳＡＰ標準の改良型である１０ギガビットＳＦＰトランシーバ）のような、所定の標準と適合する標準型トランシーバであり、その双方のトランシーバ群は、マルチソース・アグリーメント（ＭＳＡ）グループの規定に適合する。より全体的には、差込み口４０５、４１０、４１５、４２０は、ＴＸＴカード基部構造４００の差込み口とそれぞれの差込み口４０５、４１０、４１５、４２０内に受容すべきトランシーバのクラスとの間の所定の機械的及び電気的連結スキームに順応する均一な機械的及び電気的構造を有している。
【００８２】
各々が差込み口４０５ないし４２０の所定の機械的及び電気的連結スキームと合致する機械的及び電気的接続構造を有する１組の電子−光トランシーバが利用可能であると想定される。更に、本発明の１つの好ましい実施の形態において、トランシーバは、熱差し込み可能である、すなわちこれらのトランシーバは、ＴＸＴカード基部構造４００が作動されたときでも、棚を予め不作動にする必要なく、それぞれの差込み口内に挿入し／それぞれの差込み口から引き抜くことができる。
【００８３】
図５を参照すると、差込み口４０５ないし４２０の１つに差し込むことにより、ＴＸＴカードを備え得るようにされた、電子−光トランシーバ５００の機能可能なスキームが示されている。例えば、非限定的に、トランシーバ５００はＳＦＰトランシーバである。
【００８４】
トランシーバ５００は、その光側部に、相補的（雄型）標準型光コネクタを受容し得るようにされたそれぞれの（雌型）コネクタを介してアクセス可能な光入力部５０５と、光出力部５１０とを有している。例えば、光コネクタは、光ファイバケーブルの端部に取り付けられ、該光ファイバケーブルにより、トランシーバの光入力部及び出力部は、例えば、ＭＤＭカード２１０、２１５の光出力／入力３２０１ないし３２０９／３２５１ないし３２５９の１つに連結することができる。トランシーバ５００は、その電気側部に、ＴＸＴカードの各差込み口内に設けられた相補的な電気コネクタに適合する、コネクタ５３５を介してアクセス可能な電気入力部５１５と、電気出力部５２０とを有している。例えば、ＳＦＰトランシーバは、かかる標準と適合する差込み口内に挿入することのできる標準型の電気コネクタを有している。
【００８５】
一般的な表現にて、トランシーバ５００は、２つの内部信号路、すなわち光入力部５０５から電気出力部５１５への第一の経路５０５、５１５と、電気入力部５２０から光出力部５１０への第二の経路５２０、５２５とを有している。第一の経路５０５、５１５において、光入力部５０５にて受信した光信号は、最初に、相応する電気信号に変換される。光入力部５０５は、受信した光信号、特に、ＣＷＤＭ信号の成分光信号の１つを光検出器５２５に供給し、該光検出器は、成分光信号を相応する電気信号に変換する。次に、電気信号は、電気信号を所望の又は特定の電圧レベル標準（例えば、ＳＦＰトランシーバの場合、ＬＶＰＥＣＬ標準）に適応させる制限増幅器５３２を有する電子回路５３０に供給される。次に、その適応させた電気信号は、電気出力部５１５に配信され且つ、該電気出力部にて利用可能とされる。
【００８６】
第二の経路５２０、５１０において、電気入力部５２０にて受信した電気信号は、光源５４０、特に、レーザ装置に供給され、該レーザ装置は、電気信号を変換して、例えば、ＣＷＤＭチャネルの１つの波長に中心がある相応する光信号にする。レーザ装置５４０により発生された光信号は、光出力部５１０に供給され且つ、該光出力部５１０にて利用可能とされる。
【００８７】
トランシーバ５００のセットは、８つのＣＷＤＭチャネルの異なる波長の各々にて作動し得る設計とされたトランシーバと、ＯＳＣの波長にて作動し得る設計とされたトランシーバとを含むことができる。詳細には、包括的なトランシーバ５００を考えれば、トランシーバ５００の内部の光学装置（すなわち、光検出器５２５及び光源５４０）は、ＣＷＤＭチャネルの１つの中央波長に相応し（又はＯＳＣの波長に相応する）それぞれの作動波長を検出し又は放出することができる。この型式のトランシーバは、有色トランシーバと称する、更に、トランシーバセットは、光源５４０から発生され光入力部５０５にて受信し、従って光検出器５２５にて検出され、光出力部５１０から伝送される光信号は、ＣＷＤＭチャネル中央波長（及びＯＳＣチャネルの波長）と相違する波長を特徴とする。グレイ光信号にて作動する設計とされたこの型式のトランシーバは、グレイトランシーバと称する。グレイトランシーバは、例えば、クライアントと通信するために使用される。
【００８８】
更に、受信した信号の異なる通信ビットレートの範囲に対して異なるトランシーバを提供することができる。電子回路５３０は、受信した電気信号を所定の範囲のビットレート、例えば、最も一般的な信号通信標準に相応するレートに適応可能である。
【００８９】
トランシーバ５００のＴＸＴカードの差込み口４０５ないし４２０内への熱差込み可能性は、例えば、独創的な電気コネクタ５３５の接点の幾何学的形態により実現される。典型的に、トランシーバ５００は、正供給電圧ＶＤＤ＋、負供給電圧ＶＤＤ−及び接地又は基準電圧ＧＮＤを受信する電気接点を有している。これらの電気接点は、トランシーバ５００が差込み口４０５ないし４２０の全体的な１つに差し込まれたとき、正及び負の供給電圧ＶＤＤ＋、ＶＤＤ−が接触する（図５に拡大図に詳細図にて概略図的に示すように）前に、接地電圧接点が確立されるよう独創的な幾何学的形態を有する設計とされている。トランシーバ５００が差込み口４０５ないし４２０の１つから引き抜かれると、接地電圧接点が最後に遮断される。この要領にて、ＴＸＴカードが作動され、すなわち棚のスロット内に挿入されるとき、トランシーバ及び（又は）ＴＸＴカードの回路に危険な電圧の瞬間的な急上昇を生じさせる危険を伴わずに、トランシーバ５００を、差込み口内に差し込み且つ、差込み口から引き抜くことができる。
【００９０】
図４Ａを再度参照すると、ＴＸＴカード基部構造４００に所定の数及び型式のトランシーバが設けられたならば、その差込み口４０５ないし４２０内に差し込まれるトランシーバの光入力部及び出力部に接続された光ファイバケーブル４２２ｉ、４２２ｏを通して光信号を受信し且つ、送信することのできるＴＸＴカードが得られる。
【００９１】
ＴＸＴカード基部構造４００はまた、差込み口４０５ないし４２０から受信した電気信号を所望の要領にて適正に配信する電子スイッチ装置４２５と、スイッチ装置４２５に接続された電子回路４２８、特に、３Ｒ信号再生、パフォーマンスの監視及び電気信号の多重化／復多重化の機能を果たし得るようにされた回路とを有している。スイッチ装置４２５は、差込み口４０５ないし４２０の任意の１つから受信した信号を差込み口４０５ないし４２０（その信号を受信する差込み口を含む）の任意の１つ及び電子回路４２８に配信し、また、該電子回路４２８から差込み口４０５ないし４２０の任意の１つに配信し得るようにされている。
【００９２】
図４Ｂを検討すると、本発明の１つの実施の形態に従った電子回路４２８の機能的ブロックスキームが示されている。該電子回路４２８は、ＴＸＴカードを備えており、差込み口内に差し込んだトランシーバにより光領域から変換された電気信号を電気的接続部４２９ｉを通してスイッチ装置４２５から受信する。
【００９３】
電子回路４２８は、４つのクロックデータ再生（ＣＤＲ）回路４３２、特に、電気信号の３Ｒ再生のオペレーションを行う汎用型ＣＤＲを有している。ＣＤＲ４３２の各々は、実質的に、集積型周波数合成器、典型的に、ＰＬＬを有しており、該ＰＬＬはそれ自体を広範囲に亙るビットレートに適応させることができ、また、受信した信号のパフォーマンスを監視するため、それぞれの追加的な回路４３３に接続される。
【００９４】
電子回路４２８内の追加的な回路４３３は、通信ネットワークのパフォーマンスを監視し得るようにされている。特に、追加的な回路４３３（以下、パフォーマンスモニタと称する）は、信号の存在／不存在を検出し且つ、ＢＥＲを測定し、また、入って来る信号のデータの目を走査し得るようにされている、パフォーマンスモニタ４３３は、受信した信号に関する情報をバス４３１を介して電子回路４２８の外部に供給する。２Ｒ及び（又は）３Ｒ再生を行い得るようにされた商業的に入手可能な電子装置はまた、光信号から変換することにより求められた電気信号にてパフォーマンス監視を行うこともできる。
【００９５】
次に、再生後の電気信号は、パフォーマンスモニタ４３３により電気信号の多重化／復多重化を行うことのできる回路４３０に提供される。多重化／復多重化オペレーションが必要でないならば、再生後の電気信号は、回路４３０により処理されず、回路４３０により電気的接続部４２９ｏを介して電子回路４２８の外部に直接、提供される。ＦＰＧＡ４３０は、適正に形態設定する必要があり、この目的のため、更なるバス４３４により外部命令を受信する。
【００９６】
これと代替的に、入って来る信号の各々の３Ｒ再生及びパフォーマンス監視は、単一の装置（ヴィテッセ（Ｖｉｔｅｓｓｅ）が製造するＶＳＣ８１２３チップのような）により実行され、又は入って来る信号の全ての３Ｒ再生は、４つのパフォーマンスモニタ（ヴィテッセが製造するＶＳＣ８１５０チップのような）に接続された単一の装置（マインドスピード（Ｍｉｎｄｓｐｅｅｄ）が製造するＣＸ２０５０１チップのような）により実行することができる。更に、それぞれのパフォーマンスモニタ４３３にカスケード接続されたＣＤＲ４３２の各々は、差込み口４０５ないし４２０とスイッチ装置４２５との間に配置し、電子回路４２８はスイッチ装置４２５により提供された電気信号の多重化／復多重化のみを実現するようにしてもよい。
【００９７】
本発明の１つの実施の形態において、電子回路４２８は、所望の機能を実現し得るよう適正に形態設定することのできるＦＰＧＡのような１つ又はより多数のハードウェア−プログラマブル装置により実現化される。この要領にて、スイッチ装置４２５は、同様にＦＰＧＡ装置により実現することが可能であることが理解できる。
【００９８】
図４Ａを再度参照すると、ＴＸＴカード基部構造４００には、スイッチ装置４２５を制御し且つ、適正に形態設定し（差込み口への／差込み口からの電気信号の１組みの所定の配信の任意の１つを実現し得るよう）及び電子回路４２８、特に回路４３０を形態命令によって制御し且つ適正に形態設定する（電気信号の所望の多重化／復多重化を実施し得るよう）マイクロプロセッサ／マイクロコントローラが更に設けられている。
【００９９】
ＴＸＴカード基部構造４００は、差込み口４０５ないし４２０とマイクロプロセッサ／マイクロコントローラ４３５との間の電気的接続部を更に有し、トランシーバが差込み口内に差し込まれたとき、マイクロプロセッサ／マイクロコントローラ４３５と１つ又は複数のトランシーバとの間の通信を可能にする電気的接続部を更に有している。この目的のため、トランシーバ５００の電子回路５３０は、次のようなものであることが好ましい、すなわち、トランシーバが差込み口４０５ないし４２０の１つに差し込まれたとき、マイクロプロセッサ／マイクロコントローラ４３５は、トランシーバの特徴的パラメータ（光学装置により支援される作動波長及び電子回路５３０により支援されるビットレートの範囲のような）を読み取ることにより、トランシーバの存在、及び多分、トランシーバの型式を認識することができる。マイクロプロセッサ／マイクロコントローラ４３５は、例えば、これらのデータを利用して、スイッチ装置４２５及び（又は）ＦＧＰＡ４３０を適正に形態設定することができる。
【０１００】
更に、マイクロプロセッサ／マイクロコントローラ４３５は、パフォーマンスモニタ４３３により作動されるパフォーマンス監視機能から得られた、電子回路４２８により処理した信号に関する情報（ＢＥＲ推定及び信号の存在／不存在のような）を収集することができる。マイクロプロセッサ／マイクロコントローラ４３５は、この情報を処理し且つ、棚における電気的接続の背面配線板のバスを介してＳＰＶカード２３５と連通する。一方、ＳＰＶカード２３５は、例えば、処理した情報に応答してマイクロプロセッサ／マイクロコントローラ４３５に特定の命令を送ることができる。単に一例として、ＳＰＶカード２３５は、例えば、保護目的のため、マイクロプロセッサ／マイクロコントローラ４３５に対してスイッチ装置４２５を異なる要領にて形態設定する命令を送ることができる。
【０１０１】
ＴＸＴカード基部構造４００は、ハードウェア形態及びソフトウェア形態とすることができる。該構造は、異なる型式及び異なる数のトランシーバ５００を４つの差込み口４０５ないし４２０内に差し込むことによりハードウェア形態とすることができる。更に、ＴＸＴカード基部構造４００は、カード基部構造４００に対する作用を制御するマイクロプロセッサ／マイクロコントローラ４３５により、ソフトウェア形態とされる。この要領にて、ＴＸＴカード基部構造４００は、幾つかの異なる機能を実行することのできる多岐に亙る異なるＴＸＴカードを実現するのに適している。
【０１０２】
以下の説明には、可能なＴＸＴカード形態の一例で且つ、非限定的な例が掲げられている。
例えば、ＴＸＴカード基部構造４００には、包括的な中央波長λｘにて作動する１つの有色トランシーバ５００と、ＣＷＤＭチャネル中央波長と相違する波長にてクライアントと通信するため１つのＣＷＤＭチャネルの光信号の双方向適応化を実現すべく差込み口４０５ないし４２０の２つに差込まれたグレイ信号の１つのグレイトランシーバとが設けられるものと想定する。参照し易いように、この要領にて形態設定されたＴＸＴカード基部構造４００は、以下に、ＴＸＴ−Ａカードと称する。
【０１０３】
ライン１１０１、１１０２の１つから受信したＣＷＤＭ信号の成分信号である、波長λｘにおける成分光信号は、２つのＭＤＭカード２１０、２１５の第一のもの２１０から受信し且つ、適宜なコネクタにより結線された光ファイバケーブルの一部分４２２ｉを介してＴＸＴ−Ａカードに供給される（この光ファイバの部分は現場用語にて、光ファイバライザと称される）。該ライザ４２２ｉは、第一のＭＤＭカード２１０の相応する光出力部３２０１ないし３２０９に接続され且つ、差込み口４０５ないし４２０の１つに差し込まれた有色トランシーバ５００の相応する光入力部に接続される。
【０１０４】
有色トランシーバ５００は、波長λｘの有色光信号を相応する電気信号に変換し、その後、この電気信号は、有色トランシーバ５００の制限増幅器により適応化される。有色トランシーバ５００の電気出力部５１５にて利用可能とされた電気信号は、マイクロプロセッサ／マイクロコントローラ４３５により適正に形形態設定されるものと想定するスイッチ装置４２５に配信される。スイッチ装置４２５は波長λｘの有色光信号に相応する受信した電気信号を電子回路４２８に向けて配信し、該電子回路は、電気信号の３Ｒ再生を作動させ、これと同時に、これらの有色信号が関係する限り、通信ネットワークのパフォーマンスを監視する。
【０１０５】
特に、ＴＸＴ−Ａカードが差込み口４０５内に差し込まれた有色トランシーバに接続された光ファイバライザ４２２ｉによりＭＤＭカード２１０に接続されるものと想定すれば、スイッチ装置４２５は、電子回路４２８から受信した再生した電気信号を差込み口４１５内に差し込まれたグレイトランシーバ５００に向けて配信し得るよう形態設定することができる。差込み口４１５内のグレイトランシーバは、再生後の電気信号をグレイ光信号に変換し、該グレイ光信号は、グレイトランシーバ５００の光出力部５１０にて利用可能とされ、クライアントは、該グレイトランシーバにてグレイ光信号を、光ファイバケーブル４２２ｏを介して取り上げることができる。
【０１０６】
ネットワークノードに接続されたクライアントにより局所的に供給されるグレイ光信号は、光ファイバ４２２ｉによって差込み口４１５内に差し込まれたグレイトランシーバ５００内に注入可能であることが分かる。次に、グレイ光信号は、上述したものと同等の要領にてＴＸＴ−Ａカードにより処理される。グレイ光信号は、グレイトランシーバにより電気信号に変換され、電子回路４２８により再生され、スイッチ装置４２５により差込み口４０５内の有色トランシーバに配線され、最後に、波長λｘの有色光信号に変換される。この要領にて、有色トランシーバ５００の光出力部５１０にて波長λｘの有色光信号が利用可能とされる。有色信号は、有色トランシーバの光出力部に接続された光ファイバライザ４２２ｏにより取り上げることができ、該有色トランシーバは、波長λｘの有色光信号をＭＤＭカード２１０に供給し、通信ネットワークのライン１１０２内に注入することを許容する。
【０１０７】
２Ｆリングネットワーク１００の１つのノードにて保護機構を作動させるため、第一の有色トランシーバと同一のＣＤＷＭチャネルの中央波長λｘにて作動する冗長的な有色トランシーバを利用可能なソケットの１つ内に差し込むことにより、ＴＸＴ−Ａカードを形態変更する必要がある。その結果得られるカードは、ＴＸＴ−Ｇカードと称する。冗長的な有色トランシーバは、光ファイバライザ４２２ｏ、４２２ｉをそれぞれ介して第二のＭＤＭカード２１５に接続され、波長λｘの有色光信号をライン１１０１内に再注入し且つ、ライン１１０２から波長λｘの有色光信号を冗長的に受信する。
【０１０８】
スイッチ装置４２５は、ＣＷＤＭ信号の成分光信号から変換することにより得られた電気信号の各々１つを任意の所望の要領にて配信することができる。その結果、受信した光信号に相応する電気信号を所望の差込み口に向けて配信し又は異なるＴＸＴカード基部構造に異なるスイッチ装置４２５を設ける必要なく、スイッチ装置４２５を適正に形態設定するだけで冗長的な光信号に相応する電気信号を遮断することが可能である。
【０１０９】
更なる可能な形態において、２つの有色トランシーバ及び２つのグレイトランシーバがＴＸＴカード基部構造４００の差込み口４０５ないし４２０内に差し込まれる。以下に、ＴＸＴ−Ｄカードと称する、この要領にて形成されたＴＸＴカード基部構造４００は、２つのクライアントをネットワークノードに接続することを許容する。ＣＷＤＭ信号から成る光信号の２つを引き抜き且つ、２つのクライアントに提供しなければならないとき、有色トランシーバは、それぞれのＣＷＤＭ成分波長にて作動し、スイッチ装置４２５は、所望の信号を差込み口４０５ないし４２０の各々に向けて適正に配信する。この要領にて形成されたとき、ＴＸＴカードは、２つのＣＷＤＭチャネルにより運ばれた信号を挿入し／引き抜くことを許容するのみならず、光信号波長の双方向への適応化を更に実現する。
【０１１０】
ＴＸＴカード基部構造４００（ＴＸＴ−Ｆカードと称する）の形態の更なる例として、１つの有色トランシーバ５００が差込み口の１つ、例えば差込み口４０５内に差し込まれ且つ、ライン１１０１、１１０２の一方（すなわちＭＤＭカード２１０又は２１５）からＣＷＤＭチャネルの中央波長λｘの有色光信号を受信する一方、２つのグレイトランシーバ５００は、残る差込み口の２つ、例えば差込み口４１５、４２０内に挿入される。有色トランシーバは、波長λｘの有色光信号をスイッチ装置４２５に供給される相応する電気信号に変換する。ＴＸＴ−Ｆカードの形態をしたスイッチ装置４２５は、電気信号を電子回路４２８に向けて配信し、該電子回路は、３Ｒ再生を電気信号に施し、再生後の電気信号を復多重化してより低ビットレートの２つの電気信号にし、その復多重化した低ビットレートの信号をスイッチ装置４２５に供給して戻す。この要領にて、スイッチ装置４２５は、２つの低ビットレート信号の各々を差込み口４１５、４２０内に収容された２つのグレイトランシーバのそれぞれ１つに提供することができる。グレイトランシーバは、それぞれの低ビットレート電気信号を変換して光信号にし、該グレイ光信号は、グレイトランシーバに接続された光ファイバライザケーブル４２０ｏを介してそれぞれのクライアントに供給することができる。該ＴＸＴ−Ｆカードはまた、２つのクライアントから受信した低ビットレートの２つのグレイ信号に対し逆の過程を行うこともできる。２つのグレイ光信号は、ＣＷＤＭチャネル中央波長の１つにて高ビットレートの単一の有色光信号と多重化し、ＭＤＭカードの１つに供給し、ＣＷＤＭ信号の他方の成分信号と多重化されるようにすることができる。
【０１１１】
ＴＸＴ−Ｆカードは、相応するＣＷＤＭチャネルにて保護機構を作動させるため、第一の有色トランシーバと同一の波長λｘにて作動する、更なる冗長的な有色トランシーバを残る差込み口４１０内に差し込むことにより、拡張させることができる。有色トランシーバの各々は、光ファイバライザ４２２ｉ、４２２ｏを介してＭＤＭカードに接続される。この形態は、ＴＸＴカードの基部構造４００のＴＸＴ−Ｈ形態と称する。
【０１１２】
より簡単な形態において、ＴＸＴカードの基部構造４００は、例えば、差込み口４０５又はこれと代替的に、差込み口４１０のような１つの差込み口内に２つの有色トランシーバ５００の１つを使用し、また、例えば、差込み口４１５又は４２０のような別の差込み口内に別のトランシーバを使用することにより、形態設定することができる。参照し易いように、この要領にて形態設定されたＴＸＴカードの基部構造４００は、以下に、ＴＸＴ−Ｂカードと称する。典型的に、ＴＸＢ−Ｂカードは、ＣＷＤＭ信号からなる角有色信号の３Ｒの双方向再生（及びパフォーマンスの監視）を実行し且つ、このＣＷＤＭチャネルにおける保護機構を作動させることを許容するから、このＴＸＴ−Ｂカードはラインツーラインのオペレーションに使用される。
【０１１３】
ネットワークノードにおけるラインツーラインのオペレーションのために使用されるＴＸＴカード（以下、ＴＸＴ−Ｅカードと称する）の更なる例として、ＴＸＴカードの基部構造４００には、４つの有色トランシーバ５００を設けることができ、該トランシーバの２つは、例えば、差込み口４０５、４２０のような差込み口の２つに差し込まれ、波長λｘにて作動し、また、２つは、残りの２つの差込み口４１０、４１５内に差し込まれ且つ、波長λｘにて作動し、ここで、λｘ及びλｙは、２つのＣＷＤＭチャネルの中央波長である。ＴＸＴ−Ｂカードと同様に、ＴＸＴ−Ｅカードは、ＣＷＤＭ信号を構成する２つの有色信号の３Ｒ双方向再生の実行（及びパフォーマンスの監視）及び２つのＣＷＤＭチャネルにおける保護機構を作動させることを許容する。
【０１１４】
光信号の変換により発生された電気信号はループバックすることができる、すなわちスイッチ装置４２５は、差込み口４０５ないし４２０の１つに収納された有色トランシーバから信号を受信し且つ、その信号を同一のトランシーバに配信して戻すことができることが分かる。より詳細には、ループバック形態と称される形態において、スイッチ装置４２５は、トランシーバにより変換され、また、ＣＷＤＭ信号のそれぞれの成分光信号に相応する電気信号を電子回路４２８に提供し、該電子回路４２８は、電気信号にて３Ｒ再生（及びパフォーマンスの監視）を実行し、スイッチ装置４２５は、再生後の電気信号を相応するトランシーバに配信して戻す。この要領にて、ＴＸＴカードは、差込み口内に挿入された有色トランシーバの数に依存して、１つから４つへと変化する多数のＣＷＤＭチャネルにて受信した信号の３Ｒ再生のみを実行する。これと代替的に、簡単である透過的通過型の形態において、スイッチ装置４２５は、３Ｒ再生を実行する電子回路４２８に電気信号を配信せず、トランシーバにより変換された電気信号を同一のトランシーバに直接、配信して戻すことができる。
【０１１５】
簡単な一例として、１つの有色トランシーバを差込み口４０５ないし４２０の１つに挿入し且つ、スイッチ装置４２５のループバック形態（ＴＸＴカードの基部構造４００のＴＸＴ−Ｃカードの形態）を利用することにより、１つのＣＷＤＭチャネルの信号の３Ｒ単方向再生を実現することができる。このことは、例えば、１Ｆリングネットワーク内の通過ノードにて有用である。
【０１１６】
次に、図６Ａを検討すると、本発明の１つの実施の形態に従ったネットワーク１００のノード１０５ｉの一例としての概略ブロック図が示されている。（図１、図２、図３の構成要素に相応する要素は同一の参照番号で表示し、それらの説明は、簡略化のため省略）。ノード１０５ｉは、特に、２つのＭＤＭカード２０５、２１５、すなわち１つのＴＸＴ−Ｂカード６０２及び１つのＴＸＴ−Ｇカード６０３を収納する１つの棚２００を有している。ＴＸＴ−Ｂカード６０２は、ＴＸＴカードの基部構造の差込み口内に差し込まれた２つの有色トランシーバの光入力部及び出力部に相応する、西側光入力部６５５と、西側光出力部６７５と、東側光入力部６６５と、東側光出力部６７０とを有している。ＴＸＴ−Ｇカード６０３は、有色光信号に対する２つの光入力部６１０、６２０と、２つの光出力部６４５、６５０（それぞれの差込み口内に差し込まれた２つの有色トランシーバの光入力部及び光出力部に相応する）とを有している。ＴＸＴ−Ｇカード６０３は、グレイ光信号に対する１つの光入力部６４０と、１つのクライアント光出力部６３０（グレイトランシーバの光入力部及び光出力部に相応する）とを有している。
【０１１７】
ノード１０５ｉは、クライアント６０５に接続され且つ、西双方向ラインインターフェースにおけるライン１１０１から、及び東双方向ラインインターフェースにおけるライン１１０２から通信ネットワークのトラフィックを受信する。ノード１０５ｉは、そのトラフィックを東ラインインターフェースにおけるライン１１０１に、及び西ラインインターフェースにおけるライン１１０２に再送信する。ＭＤＭカード２１０は、西ラインインターフェースに配置され、ライン１１０１、１１０２は、その光入力部及び光出力部とそれぞれ接続されている。ＭＤＭカード２１５は、東ラインインターフェースに配置され、ライン１１０１、１１０２は、その光入力部及び光出力部とそれぞれ接続されている。
【０１１８】
ＭＤＭカード２１０は、ライン１１０１から受信したＣＷＤＭ信号を復多重化して成分信号（ＣＷＤＭチャネルの各々に対し１つずつ）にする。ＣＷＤＭチャネルの中央波長λｘと関係付けた復多重化した信号の１つは、挿入／引抜きオペレーションのため、ノード１０５ｉのクライアントインターフェースに配置されたＴＸＴ−Ｇカード６０３の光入力部６１０に配信される（光ファイバライザを介して）。これと同時に、ＭＤＭカード２１５は、ライン１１０２から受信したＣＷＤＭ信号のみを復多重化し、波長λｘに中心がある成分信号は、保護目的のため、ＴＸＴ−Ｇカード６０３の光出力部６２０に冗長的に配信される。作動通信路に沿った障害が生じない限り、ＴＸＴ−Ｇカード６０３の内部のスイッチ装置４２５は、ＭＤＭカード２１０から光入力部６１０にて受信した有色光信号の相応する電気信号のみをカード６０３に存在するグレイトランシーバに配信する。
【０１１９】
クライアント６０５は、クライアントインターフェースにおけるクライアント６０５の光入力部６９３と、ＴＸＴ−Ｇカード６０３の光グレイ出力部６３０との間に接続された第二の光ファイバケーブル６２５を介して波長λｘに中心がある信号に相応するグレイ信号を受信する。クライアント６０５は、クライアントインターフェースにおけるクライアント６０５の光出力部６９５とＴＸＴ−Ｇカード６０３のグレイ光入力部６４０との間に接続された更なる第二の光ファイバケーブル６３５を介してグレイ信号を再送信する。ＴＸＴ−Ｇカード６０３のスイッチ装置は、保護目的のため、クライアント６０５から受信した信号を光出力部６４５、６５０の双方に配信し、従って、ＭＤＭカード２１０及びＭＤＭカード２１５の双方に配信する形態とされている。ＭＤＭカード２１０及び２１５は、ＴＸＴ−Ｇカード６０３の光出力部６４５、６５０から波長λｘに中心がある光信号を受信し且つ、その信号をＣＷＤＭ信号の他の成分信号と多重化する。
【０１２０】
ＭＤＭカード２１０は、３Ｒ再生及びパフォーマンスの監視のためにのみ、波長λｙ（ｙ＝１、…、８、ｙはｘと相違する）の成分光信号をＴＸＴ−Ｂカード６０２の西側光入力部６５５に送信する。ＴＸＴ−Ｂカード６０２は、再生後の波長λｙの光信号を東側光出力部６６５からＭＤＭカード２１５に送信する。これと逆に、ＭＤＭカード２１５は、波長λｙの信号をＴＸＴ−Ｂカード６０２の光入力部６７０（東側）に送信し、該光入力部は、波長λｙのその信号を西側光出力部６７５からＭＤＭカード２１０に送信する。
【０１２１】
ライン１１０１から受信し且つ、波長λｘ、λｙの信号と相違するＣＷＤＭ信号の成分信号は、ＭＤＭカード２１０により復多重化され且つ、直接、ＭＤＭ２１５カードに供給され、該カードは、これらの信号をＴＸＴ−Ｇカード６０３及びＴＸＴ−Ｂカード６０２によりそれぞれ提供される波長λｘ、λｙに中心がある信号と多重化してＣＷＤＭ信号にする。ＣＷＤＭ信号は、ノード１０５ｉの東側インターフェースにてＭＤＭカード２１５の光出力部に接続されたライン１１０１内に再注入する。同様に、ライン１１０２から受信し且つ、波長λｘ、λｙの信号と相違する成分信号は、ＭＤＭカード２１５により復多重化され且つ、直接、ＭＤＭ２１０カードに供給され、このことは、ノード１０５ｉの西側インターフェースにてＭＤＭカード２１０の光出力部に接続されたライン１１０２内のトラフィックを再注入することを許容する。
【０１２２】
ＣＷＤＭ信号の他の成分信号を再生するため、複数のＴＸＴカードを提供することにより、ノード１０５ｉの形態を増すことが可能である（特に、各々１つが２つのＣＷＤＭチャネルの信号を処理することのできる３つのＴＸＴ−Ｅカードを提供することが可能である）。
【０１２３】
ＴＸＴ−Ｇカード６０３は、また、受信した信号に対する３Ｒ再生及びパフォーマンスの監視も行う。パフォーマンスの監視は、ＴＸＴ−Ｇカード６０３が受信した信号における重要なパラメータを取得することを許容する。これらのパラメータは、例えば、保護機構を実現するために使用される。ＴＸＴ−Ｂカード６０２が受信した信号の不具合を検出したならば、その情報は、棚の電気的接続背面配線板のバスにより棚２００のＳＰＶカード（図面に図示せず）に戻される。ＳＰＶカードは、ＯＳＣチャネルを介してネットワークの全てのノードと通信し、作動通信路に障害が生じたこと、及びネットワークノードの保護通信路を利用する必要があることを示す。
【０１２４】
ＭＤＭカード２１０から受信した信号が例えば、存在せず又は間違った推定ＢＥＲを含むならば、保護機構は、ＴＸＴ−Ｇカード６０３の内部にてスイッチ装置４２５を形態変更することを許容する。新しい形態において、スイッチ装置は、光入力部６２０にて受信した信号をＭＤＭカード２１５からクライアント６０５に配信する。その他の場合、ＴＸＴ−Ｇカード６０３がクライアント６０５から受信した信号に障害を検出した場合、スイッチ装置は、光入力部６１０にてＭＤＭカード２１０から受信した信号のループバックを実現し、この場合、この信号は、ＴＸＴ−Ｇカード６０３の光出力部６５０に直接、配信することができる一方、光入力部６２０にてＭＤＭカード２１５から受信した信号は、直接、光出力部６４５に配信される。このように、クライアント６０５は、障害が解消される迄、隔離される。
【０１２５】
上述した保護機構は、１＋１光チャネル保護機構と称され、また、東及び西ラインインターフェースの双方から相応する信号を受信する冗長的な有色トランシーバが設けられたＴＸＴカードを利用してクライアントインターフェースを実現する。
【０１２６】
図６Ｂを参照すると、本発明の１つの代替的な実施の形態に従ったネットワークのノード１０５ｉの一例としての概略ブロック図が示されている（図１、図２、図３及び図６Ａの要素に相応する要素は、同一の参照番号で表示され、簡略化のため、それらの説明は省略）。
【０１２７】
この実施の形態のノード１０５ｉにおいて、ＴＸＴ−Ｇカードに代えて、２つのＴＸＴ−Ａカード６７５、６８０が使用され、棚２００の２つの相応するスロット内に挿入される。ＴＸＴ−Ａカード６７５、６８０は、４つの差込み口４０５ないし４２０の２つに差し込んだ有色トランシーバの作動波長に相応する有色光信号に対する光入力部６７６、６８１と、光出力部６７７、６８２と、残りの２つの差込み口内に挿入されたグレイトランシーバの作動波長に相応するグレイ信号に対する光入力部６７８、６８３と、光出力部６７９、６８４とを有している。
【０１２８】
この代替的な実施の形態において、クライアント６０５は、２つの光ファイバＹケーブル６８５、６９０により、すなわち入って来る光信号を２つの半パワーの出力光信号に分割し得るようにされた３つの支部分６８５ａ、６８５ｂ、６８５ｃ、６９０ａ、６９０ｂ、６９０ｃ、をそれぞれ有する光ファイバケーブルによりノード１０５ｉに接続される。詳細には、２つのＹケーブル６８５、６９０の支部分６８５ａ、６９０ａは、それぞれクライアント６０５の光入力部６９３及び光出力部６９５に接続され、支部分６８５ｂ、６９０ｂは、ＴＸＴ−Ａカード６７５、６８０の光入力部６７８、６８３に接続され、支部分６８５ｃ、６９０ｃは、ＴＸＴ−Ａカード６７５、６８０の光出力部６７９、６８４に接続される。
【０１２９】
ＴＸＴ−Ａカード６７５は、その光入力部６７６にて波長λｘの成分光信号を受信し、ＴＸＴ−Ａカード６８０は、光入力部６８１にて同一の光信号を冗長的に受信する。ＴＸＴ−Ａカード６７５、６８０は、受信した信号を処理して３Ｒ再生及びパフォーマンスの監視を実行し、処理後の信号は、光出力部６７９、６８４にてそれぞれ利用可能とされる。処理後の２つの光信号間の光学的衝突を避けるため、ＴＸＴ−Ａカード６８０により送信された光信号は、ＴＸＴ−Ａカード６８０のスイッチ装置４２５が適正な形態であるため、スイッチオフされる。
【０１３０】
一方、クライアント６０５は、保護目的のため、それぞれの信号をＹケーブル６９０を介してＴＸＴ−Ａカード６７０及びＴＸＴ−Ａカード６８０の双方に再送信する。ＴＸＴ−Ａカード６７５、６８０により処理された波長λｘの２つの信号は、有色光出力部６７７、６８２にそれぞれ提供され、ＭＤＭカード２１０、２１５によりその他のＣＷＤＭ成分波長に中心がある信号と多重化されてＣＷＤＭ信号となる。
【０１３１】
ＭＤＭカード２１０から受信した信号が例えば、存在せず又は間違った推定ＢＥＲを含むならば、保護機構は、ＴＸＴ−Ａカード６７５、６８０の内部のスイッチ装置４２５を形態変更することを許容する。特に、ＴＸＴ−Ａカード６８０のスイッチ装置は、グレイ光信号を光出力部６８４からクライアント６８５に配信するよう形態変更され、ＴＸＴ−Ａカード６７５のスイッチ装置は、光出力部６７９に提供することのできるグレイ光信号をスイッチオフする。その他の場合、ＴＸＴ−Ａカード６７５、６８０がクライアント６０５から受信した信号に障害を検出した場合、スイッチ装置は形態変更されてループバック形態を実現する、すなわち、光入力部６７６にてＭＤＭカード２１０から受信した信号は、ＴＸＴ−Ａカード６７５の光出力部６７７に直接、配信される一方、光入力部６８１にてＭＤＭカード２１５から受信した信号は、光出力部６７７に直接、配信される。このように、障害が解消される迄、クライアント６０５は隔離される。
【０１３２】
上述した保護機構は、各々１つが同一の信号を受信し且つ送信する、クライアントインターフェースを実現する２つの冗長的ＴＸＴカードを利用する、１＋１装置保護機構として画成することができる。
【０１３３】
次に、図７を参照すると、図２のネットワークノードにて使用し得るようにされた、本発明の１つの実施の形態に従った追加的なカード７００（以下の説明においてＭＴＸカード）の概略図が示されている。ＴＸＴカードと同様に、ＭＴＸカード７００は、高ビットレートの集合信号（例えば、ファイバチャネルのビットレートを有する信号）に対し、ネットワークのクライアントにより提供された２つ又はより多数の低ビットレート信号（例えば、ＥＳＣＯＮ通信プロトコルに適合する信号）の透過的多重化／復多重化を行い得るよう色々な構成要素を備え且つ、そのような形態とすることのできるインフラストラクチャを提供する。
【０１３４】
図示した実施の形態のＭＴＸカードの７００は、クライアントインターフェースに相応する４つの差込み口７０５、７１０、７１５、７２０と、ＴＸＴカードの差込み口４０５ないし４２０と同様に標準型の電子−光トランシーバ、特に、ＴＸＴカードを形態設定すべく使用されるトランシーバ５００と同一の標準に適合するトランシーバを受容することのできる、ラインインターフェースに相応する差込み口７２５とを有している。
【０１３５】
ＭＴＸカード７００には、ＴＸＴカードとしてマイクロプロセッサ／マイクロコントローラ７３５と、ＴＸＴカードに設けられたものと同様の電気回路７２８とが設けられる、特に、電子回路７２８のＦＰＧＡは、４つの低ビットレート信号を多重化して集合した１つの高ビットレート信号にすることができる。
【０１３６】
ＭＴＸカード７００は、差込み口７０５ないし７２５と、トランシーバの間にて信号を遣り取りする電子回路７２８との間の電気的接続部を有している。特に、マイクロプロセッサ／マイクロコントローラ７３５は、電子回路７２８から得られたＭＴＸカード７００により受信した信号に関する情報（ＢＥＲ推定及び信号の存在／不存在のような情報）を収集する。ＭＴＸカード７００は、差込み口７０５ないし７２５と、マイクロプロセッサ／マイクロコントローラ７３５との間の電気的接続部を更に有し、マイクロプロセッサ／マイクロコントローラ７３５と差込み口７０５ないし７２５内に差し込まれたトランシーバとの間の通信を可能にする。処理後の情報は、棚の電気的接続の背面配線板のバスによりＳＰＶカードにより供給される。ＳＰＶカードにより提供された命令は、マイクロプロセッサ／マイクロコントローラ７３５が電子回路７２８のＦＰＧＡを制御し且つ、該電子回路を適正に形態設定することを可能にする。
【０１３７】
ＭＸＴカード７００は、ネットワークノードの棚２００のスロット２０５と係合するのに適しており、また、ＴＸＴカードとして、ＭＸＴカード７００と電気的接続の背面配線板との間の接続を可能にする電気接点を有するコネクタ７４０を備えている。
【０１３８】
差込み口７２５は、光ファイバライザ７４５１を介してＭＤＭカード２１０又は２１５から受信したＣＷＤＭ信号の成分信号の１つを処理し得るようにされた有色トランシーバ５００を受容することを目的とする。光−電気的変換により得られる高ビットレート電気信号は、電子回路７２８に供給され、該電子回路は、その信号を復多重化して４つの低ビットレートの電気信号にする。次に、低ビットレートの電気信号の各々は、差込み口７０５ないし７２０の１つの相応するトランシーバに配信され、該トランシーバは、受信した電気信号をグレイ光信号に再変換し、光ファイバケーブル７４５ｃを介してそれぞれのクライアントが引き抜くことができるようにする。
【０１３９】
逆の過程（挿入過程）が可能である。ＭＴＸカード７００に接続された光ファイバケーブル７４５Ｃを介してクライアントから入って来る低ビットレートの信号は、電子回路７２８により多重化され高ビットレートの集合信号となる。差込み口７２５内にてトランシーバ５００により有色光信号に再変換された高ビットレートの集合信号は、次に、光ファイバライザ７４５１によりＭＤＭカード２１０又は２１５に提供され、ネットワークのトラフィック内に再注入される。
【０１４０】
２つのＭＴＸカードの７００をネットワークノードの棚に挿入し且つ、光ファイバライザーによりＴＸＴ−Ｈカードに接続し、２つのそれぞれの集合信号を更に多重化することができる。詳細には、２つのＭＴＸカード７００によりＴＸＴ−Ｈカードに提供された２つの集合信号は、２つのファイバチャネルの信号（すなわち、約１．２５Ｇｂ／ｓのビットレートを有する信号）とすることができ、該信号は、多重化して約２．７ＧＰ／ｓの高ビットレート（ギガビットイーサネットビットレートのような）を有する集合信号にし、次に、ＣＷＤＭ信号の成分光信号に変換することができる。これと代替的に、ＴＸＴ−Ｈカードの差込み口７２５及び差込み口４１５、４２０内にてグレイトランシーバ５００を使用することに代えて、電気的アダプタ（モレックス（Ｍｏｌｅｘ）が製造する銅ＨＳＳＤＣ２トランシーバのような）をそれぞれの差込み口内に差し込むことができる。この要領にて、ＭＴＸカード７００は、多重化オペレーションの後、電気信号を光信号に再変換する必要がなく、ＴＸＴ−Ｈカードは、その受信した電気信号を直接、処理することができる。この場合、２つのＭＴＸカード７００は、例えば、銅パッチケーブルのようなラインによりＴＸＴ−Ｈカードに接続することができる。
【０１４１】
本発明は、多数レベルの形態設定可能なネットワークノード構造を提供するものであることが理解できる。特に、第一の形態設定レベルは、異なる機能を果たし得るよう色々な構成要素を備え且つ形態設定することのできるＴＸＴカード基部構造４００のようなカード基部構造を提供することにより保証される。第二の形態設定可能なレベルは、必要に依存して、異なる数及び型式のケーブルを利用することが可能であることから得られる。
【０１４２】
この構造のため、ネットワークのノード１０５ｉの自由度は実質的に向上する。
特に、トランシーバをＴＸＴ及びＭＴＸカードの差込み口内に熱差し込みすることが可能であることは、通信ネットワークサービスを中断せずに、ノード１０５ｉを容易な仕方にて形態設定することを許容する。
【０１４３】
当然に、局所的で且つ特定的な必要条件を満足させるため、当該技術の当業者は上述した解決策に対し多数の形態変更例及び変更例を適用することができるが、これら全ては、特許請求の範囲に規定された本発明の保護の範囲内に含まれるものである。
【図面の簡単な説明】
【０１４４】
【図１】本発明が適用可能である２ファイバリングトポロジーを有する光通信ネットワークの概略図である。
【図２】本発明の１つの実施の形態における図１に示したネットワークにおける１つのノードの構造を更に詳細に示す図である。
【図３】図２のネットワークノードにて使用し得るようにされた第一の型式のカードを示す概略図である。
【図４】４Ａは、図２のネットワークノードにて使用し得るようにされた第二の型式のカードを示す概略図である。４Ｂは、図４Ａのカードを備える電子回路４２８の機能スキームの図である。
【図５】図４Ａのカード内に差込み可能な電子−光トランシーバの機能スキームを示す図である。
【図６】６Ａは、本発明の１つの実施の形態に従った図１のネットワークのノード、特に局所的に利用するため信号の再生及びＣＷＤＭチャネルの挿入／引抜きを実行し得る形態とされたノードを示す概略図的なブロック図である。６Ｂは、図６Ａのノードと同一のオペレーションを実行し得るようにされたが、本発明の１つの代替的な実施の形態に従って実現される図１のネットワークのノードを示す概略図的なブロック図である。
【図７】図２のネットワークノードにて使用し得るようにされた第三の型式のカードを示す概略図である。
【図１】
2007515815.tif 000003
【図２】
2007515815.tif 000004
【図３】
2007515815.tif 000005
2007515815.tif 000006
2007515815.tif 000007
【図５】
2007515815.tif 000008
2007515815.tif 000009
2007515815.tif 000010
【図７】
2007515815.tif 000011
【国際調査報告】
2007515815.tif 000012
2007515815.tif 000013
2007515815.tif 000014